(57)【要約】  本発明は、所定の特性を有する作動流体が、冷熱源（４）と温熱源（１）との間で、閉ループで循環し、作動流体が、温熱源の出口で実質的に完全に気化されるように、冷熱源と温熱源との間で圧縮され、気化した作動流体が、温熱源の下流で加熱され、気化して加熱された作動流体の熱エネルギーが、タービン（７）から回収され、作動流体が、冷熱源において凝縮される、海洋熱エネルギー変換方法に関する。本発明は、上記方法を実施するためのシステムにも関する。
2014529039.tif 000002
【特許請求の範囲】
【請求項１】
海洋熱エネルギー変換方法であって、
所定の特性を有する作動流体が、該作動流体と冷たい海洋深層水との熱交換によって構成された冷熱源（４）と、前記作動流体と温かい海洋表層水との熱交換によって構成された温熱源（１）との間で、閉ループで循環し、
前記作動流体が、前記熱源の熱力学的条件と前記作動流体の性質とを考慮した上で、前記温熱源の出口で実質的に完全に気化されるように、前記冷熱源と前記温熱源との間で圧縮され、
前記気化した作動流体が、前記温熱源の下流で加熱され、
前記気化して加熱された作動流体の熱エネルギーが、タービン（７）から回収され、
前記作動流体が、前記冷熱源において凝縮される、
海洋熱エネルギー変換方法。
【請求項２】
前記気化して加熱された作動流体の熱エネルギーが、２つのタービン段によって回収され、前記作動流体が、前記温かい海洋表層水との熱交換によって、前記２つのタービン段の間で加熱される、請求項１に記載の変換方法。
【請求項３】
前記気化した作動流体が、ヒートポンプによって、前記温熱源の下流で加熱され、前記ヒートポンプの温熱源は、前記温かい海洋表層水との熱交換によって構成されている、請求項１または２に記載の変換方法。
【請求項４】
前記作動流体が、第２のタービンの下流で採取された作動流体の一部であって、膨張した後で、前記作動流体の主回路に再結合する作動流体の一部との熱交換によって、前記２つのタービン段の間で加熱される、請求項２に記載の変換方法。
【請求項５】
前記冷熱源が、前記冷たい海洋深層水と熱交換を行う冷媒流体の閉ループによって構成されている、請求項１から４のいずれか１項に記載の変換方法。
【請求項６】
海洋熱エネルギー変換システムであって、
所定の特性を有する作動流体を、該作動流体と冷たい海洋深層水の温度の流体との熱交換によって構成された冷熱源（４）と、前記作動流体と温かい海洋表層水の温度の流体との熱交換によって構成された温熱源（１）との間で、閉ループで循環させる手段と、
前記熱源の熱力学的条件と前記作動流体の性質とを考慮した上で、前記作動流体が前記温熱源の出口で実質的に完全に気化されるように、前記冷熱源と前記温熱源との間で前記作動流体を圧縮させる手段（６）と、
前記温熱源の下流の、前記気化した作動流体の補助加熱手段（２）と、
前記気化して加熱された作動流体の熱エネルギーを回収する手段（７）と、
前記冷熱源において前記作動流体を凝縮する手段と、を有する
海洋熱エネルギー変換システム。
【請求項７】
前記気化して加熱された作動流体の熱エネルギーを回収する前記手段が、２つのタービン段（７ａ，７ｂ）と、該２つのタービン段の間に配置された、前記作動流体と前記温かい海洋表層水の温度の流体との熱交換器（１ｂ）と、を有する、請求項６に記載の変換システム。
【請求項８】
前記補助加熱手段（２，２’）が、ヒートポンプを有し、該ヒートポンプの温熱源が、前記温かい海洋表層水との熱交換器（１２）からなる、請求項６または７に記載の変換システム。
【請求項９】
前記冷熱源が、前記冷たい海洋深層水と熱交換を行う冷媒流体の閉ループを有する、請求項６から８のいずれか１項に記載の変換システム。
【請求項１０】
前記２つのタービン段の間に配置された前記熱交換器が、前記作動流体と、流れ分配器（１７）によって第２のタービンの下流で採取され、圧縮機（９）で圧縮され、そして、弁（１６）で膨張した後で、ミキサー（１８）によって前記作動流体の主回路に再結合する作動流体の一部（Ａ）との熱交換を構成している、請求項７に記載の変換システム。
【発明の詳細な説明】
【技術分野】
【０００１】
本発明は、熱帯および亜熱帯地域に存在する、海洋表層水と、特に１０００ｍオーダーの深さの海洋深層水との間の温度差を利用して得られた利用可能なエネルギーに関する海洋熱エネルギー変換（ＯＴＥＣ）の分野に関する。表層水は、熱力学サイクルエンジンの温熱源の目的で使用され、深層水は、熱力学サイクルエンジンの冷熱源の目的で使用される。温熱源と冷熱源との温度差は比較的低く、期待されるエネルギー収量も低い。
【０００２】
本発明の目的は、従来のＯＴＥＣプラントの効率、ひいてはその収益性を大幅に向上させ（倍増までさせ）るために、より低コストで温熱源の温度を増加させることである。一方では、それによって、このタイプのプラントの実現領域を拡張することが可能となり、これにより、潜在市場を増加させることができる。
【背景技術】
【０００３】
一般に、従来のＯＴＥＣプラントは、ランキンサイクルで動作する。過熱を用いたこのサイクルの変形例が公知である（ヒルンサイクル）。ヒルンサイクルは、作動流体が膨張後に依然として気体であるのに十分な温度まで、作動流体を加熱することを含んでいる。しかしながら、このようなプラントは、設置されたすべての場所において最大限の最適化がなされていない。
【発明の概要】
【発明が解決しようとする課題】
【０００４】
本発明の目的は、温熱源および冷熱源に与えられた温度を前提とし、以下の規則に基づいてプラントを設計することで、海洋エネルギー回収システムを最適化することである。その規則とは、温熱源（海洋表層水）による加熱が、作動流体のほぼ完全な気化を引き起こし、補助温熱源が、気化した作動流体を追加的に加熱することである。
【課題を解決するための手段】
【０００５】
したがって、本発明は、海洋熱エネルギー変換方法であって、
所定の特性を有する作動流体が、作動流体と冷たい海洋深層水との熱交換によって構成された冷熱源と、作動流体と温かい海洋表層水との熱交換によって構成された温熱源との間で、閉ループで循環し、
作動流体が、熱源の熱力学的条件と作動流体の性質とを考慮した上で、温熱源の出口で実質的に完全に気化されるように、冷熱源と温熱源との間で圧縮され、
気化した作動流体が、温熱源の下流で加熱され、
気化して加熱された作動流体の熱エネルギーが、タービンから回収され、
作動流体が、前記冷熱源において凝縮される、
海洋熱エネルギー変換方法に関する。
【０００６】
気化して加熱された作動流体の熱エネルギーが、２つのタービン段によって回収されてもよく、作動流体が、温かい海洋表層水との熱交換によって、２つのタービン段の間で加熱されてもよい。作動流体が、第２のタービンの下流で採取された作動流体の一部であって、膨張した後で、作動流体の主回路に再結合する作動流体の一部との熱交換によって、２つのタービン段の間で加熱されてもよい。
【０００７】
気化した作動流体が、ヒートポンプによって、温熱源の下流で加熱されてもよく、ヒートポンプの温熱源は、温かい海洋表層水との熱交換によって構成されている。
【０００８】
冷熱源が、冷たい海洋深層水と熱交換を行う冷媒流体の閉ループによって構成されていてよい。
【０００９】
本発明は、海洋熱エネルギー変換システムであって、
所定の特性を有する作動流体を、作動流体と冷たい海洋深層水の温度の流体との熱交換によって構成された冷熱源と、作動流体と温かい海洋表層水の温度の流体との熱交換によって構成された温熱源との間で、閉ループで循環させる手段と、
熱源の熱力学的条件と作動流体の性質とを考慮した上で、作動流体が温熱源の出口で実質的に完全に気化されるように、冷熱源と温熱源との間で作動流体を圧縮させる手段と、
温熱源の下流の、気化した作動流体の補助加熱手段と、
気化して加熱された作動流体の熱エネルギーを回収する手段と、
冷熱源において作動流体を凝縮する手段と、を有する
海洋熱エネルギー変換システムにも関する。
【００１０】
気化して加熱された作動流体の熱エネルギーを回収する手段が、２つのタービン段と、２つのタービン段の間に配置された、作動流体と温かい海洋表層水の温度の流体との熱交換器と、を有していてよい。２つのタービン段の間に配置された熱交換器が、作動流体と、流れ分配器によって第２のタービンの下流で採取され、圧縮機で圧縮され、そして、弁で膨張した後で、ミキサーによって作動流体の主回路に再結合する作動流体の一部との熱交換を構成していてよい。
【００１１】
補助加熱手段が、ヒートポンプを有していてよく、ヒートポンプの温熱源が、温かい海洋表層水との熱交換器からなる。
【００１２】
冷熱源が、冷たい海洋深層水と熱交換を行う冷媒流体の閉ループを有していてよい。
【００１３】
プラントの設計は、特に、表層水からの加熱エネルギーが作動流体を気化し、気化した作動流体に特化した補助温熱源が、サイクル効率を高めることができる追加的なエネルギーレベルを提供するように、エンジンサイクル中の具体的な加熱方法を得るために用いられる手段に基づいている。
【００１４】
本発明は、ランキンサイクルに限定されるものではなく、本発明によって、ＯＴＥＣプラントで使用されるすべての熱力学サイクルを有利に改善することができる。
【００１５】
温かい海水（安価）と追加の温熱源との間で作動流体の加熱を「分業」するという原則によって、より高い収益性と共に、場所の状況に対する本発明によるシステムの優れた適応性を提供することができる。
【００１６】
本発明の他の特徴および利点は、添付の図面を参照しながら示す、非限定的な例として与えられる実施の形態についての以下の説明から明らかとなろう。
【図面の簡単な説明】
【００１７】
【図１】温熱源が改善されたＯＴＥＣプラントの熱力学サイクルをエンタルピー線図に表した図である。
【図２】本発明を実施するためのシステムを概略的に示す図である。
【図３】温熱源が改善されたＯＴＥＣプラントの熱力学サイクルの変形例をエンタルピー線図に表した図である。
【図４】本発明によるシステムの変形例を概略的に示す図である。
【図５】ヒートポンプを示す図である。
【図６】２つのタービン段の間の熱交換についての変形例を示す図である。
【発明を実施するための形態】
【００１８】
したがって、本発明は、温水と追加の温熱源との間の分業に基づいている。その原則は、安価な温かい海水が作動流体を気化させ、その後、もう一つの温熱源がその温度を上昇させる、というものである。
【００１９】
熱力学サイクルは、以下の推論によって得られている。冷熱源の圧力は、その温度によって決定される。実際、圧力は、冷熱源が単に温度を低下させることで作動流体を凝縮することができるほど十分なものでなければならない。
【００２０】
冷熱源の圧力Ｐｆｒｏｉｄが決定されると、ＴｆｒｏｉｄおよびＰｆｒｏｉｄ（気体）を通過する等エントロピー線と、エンタルピー線図のベル内での温度がＴＥａｕＣｈａｕｄｅである水平線との交点が求められる。こうして、温熱源の圧力が与えられ、交点により、システムを最適化する温度ＴＣｈａｕｄが与えられる。
【００２１】
この推論に従い、温水および冷水の温度をそれぞれ３０３Ｋおよび２７８Ｋとすることで、作動流体としてアンモニアを用いて得られた熱力学サイクルが、図１にプロットされている。
【００２２】
図２は、ランキンサイクルによるＯＴＥＣプラントのブロック図であり、温熱源側熱交換器１と補助温熱源２とを含んでいる。海洋表層水（参照番号３）の温度よりも高い温度を得ることができ、熱力学サイクルを強化するのに十分なあらゆる熱源によって、補助温熱源を実現することができる。
【００２３】
システムは、深海から採取した冷たい海水（参照番号５）が流入する冷熱源側熱交換器４を有している。等価的には、本発明から逸脱することなく、海洋深層水のエネルギーを冷熱源側熱交換器まで搬送する冷媒流体を使用することができる。作動流体（本例ではアンモニア）の回路は、圧縮機６と、発電機８を駆動するタービン７とを有している。
【００２４】
圧力（Ｐ、単位ｂａｒ）および温度（Ｔ、単位Ｋ）は、冷水および温水の温度と、温熱源側熱交換器の出口で実質的には完全に気化される作動流体の性質とに依存している。
【００２５】
この方法の変形例は、同じように、温水と追加の温熱源との間で「分業」することを含んでいるが、補助温熱源によって供給されるエネルギーを削減することができる解決策も含んでいる。
【００２６】
以下の推論によって、アンモニアに対する熱力学サイクルが得られる。
【００２７】
冷熱源の圧力は、上述したように、その温度によって決定される。実際、圧力は、冷熱源が単に温度を低下させることで作動流体を凝縮することができるほど十分なものでなければならない。
【００２８】
冷熱源の圧力Ｐｆｒｏｉｄが決定されると、ＴｆｒｏｉｄおよびＰｆｒｏｉｄ（気体）を通過する等エントロピー線と、温水の温度における等温線との交点が求められ、それによって、サイクルの第２段を得ることができる。この交点により、中間圧力を決定することができる。この最後の点から、相転移が開始するまで等圧曲線を追従する。これにより、第１段の出口での圧力および温度が与えられる。
【００２９】
そして、最後の点を通過する等エントロピー線と、エンタルピー線図のベル内での温度がＴＥａｕＣｈａｕｄｅである水平線との交点が求められる。これによって、サイクルの第１段が与えられる。この交点により、高圧側圧力を決定することができる。
【００３０】
温水および冷水の温度はそれぞれ３０３Ｋおよび２７８Ｋであるが、作動流体としてアンモニアを用いて得られた新たな熱力学サイクルが、図３にプロットされている。
【００３１】
この変形例は、膨張のいくつかの段にわたって電力を回収するために考慮することができる。目的は、補助温熱源２’によって供給されるエネルギーを低減することである。図４は、エネルギー回収の２つの段を備えたシステムを示している。このようなプラントの場合、作動流体（ここではアンモニア）の回路は、冷熱源側熱交換器４の入口と温熱源側熱交換器１ａの出口との間に差異がない。回路は、この交換器から下流に、補助温熱源２’を有し、補助温熱源２’は、この変形例では、より少ないエネルギーを提供する。本例では、図２のシステムに対するエネルギーの半分だけが提供される。補助温熱源２’の後で、流体は第１のタービン７ａで膨張される。作動流体の温度が１段式の場合に比べて低いほど、膨張速度はより低速になる。回収される電力も低くなる。本例では、図２のシステムで回収される電力の半分になる。この第１のタービン７ａ（ＨＰ）の出口において、作動流体は、第２段の温熱源側熱交換器１ｂで加熱される。そして、作動流体は、第２のタービン７ｂ（ＬＰ）で膨張される。本例では、第２のタービンによって、第１のタービンと同じだけの電力を回収することができる。各タービンが、それぞれ１つの発電機を駆動することができ、あるいは、両方のタービンを、同じ発電機の１つの軸に配置することができる。このように、本例は、図２のシステムと同じだけのエネルギーを最終的には回収することができ、有利には補助温熱源から要求される電力を減少させることもできる方法を示している。
【００３２】
（実施例）
表１は、補助温熱源を備えていない１０ＭＷのＯＴＥＣプラントの場合の、アンモニア、温かい海洋表層水、および冷たい海洋深層水のそれぞれの流量を示している。
【００３３】
【表１】
2014529039.tif 000003
【００３４】
表２は、従来のプラントにおけるシステムのいくつかの回路要素に関する電力を示している。圧縮機およびタービンの効率を０．９に設定した。
【００３５】
【表２】
2014529039.tif 000004
【００３６】
表３は、補助温熱源を備えたプラントにおける、サイクルに関連する電力および全体のサイクル効率を示しており、図２に示す温度および圧力の条件を確認することができる。アンモニアと水の流量は、表１に示す従来のプラントの場合と同じである。
【００３７】
【表３】
2014529039.tif 000005
【００３８】
約１０ＭＷの熱（温熱源の３％に相当）を供給することで、効率を倍増させ、特にタービンによって回収される電力を倍増させることができることがわかる。補助温熱源によって導入されるほとんどすべての電力は、タービンで仕事に変換される。
【００３９】
注：効率ηは、以下のように定義される。
【００４０】
【数１】
2014529039.tif 000006
【００４１】
（２段式の変形例）
表４は、補助温熱源を備えた２段式のプラントにおける、サイクルに関連する電力およびサイクルの全体効率を示しており、図４に示す温度および圧力の条件を確認することができる。アンモニアと水の流量は、従来のプラントの場合と同じである。参照番号は、図４に示したものに対応している。
【００４２】
【表４】
2014529039.tif 000007
【００４３】
全体効率は同じであるが、補助温熱源によって供給されるエネルギーは、１／２になっていることがわかる。
【００４４】
効率ηは、以下のように定義される。
【００４５】
【数２】
2014529039.tif 000008
【００４６】
（補助温熱源）
補助温熱源は（化石燃料または再生可能エネルギー源からの）多くの公知手段によって提供可能であるが、冷熱源および温熱源が利用可能なＯＴＥＣの分野では、ヒートポンプの使用が特に有利である。
【００４７】
熱は、自然な状態では、それぞれ等しい温度になるまで、より温かい媒体からより冷たい媒体へと拡散するが、ヒートポンプ（ＰＡＣ）は、より冷たい媒体（したがってより一層冷たくなる）からより温かい媒体（したがって加熱される）へと熱を伝達することができる熱力学装置である。ヒートポンプの効率ηｐａｃは、次のように定義される。
【００４８】
【数３】
2014529039.tif 000009
【００４９】
ここで、Ｗｐａｃは、ヒートポンプに供給される電力である。効率は、最良の場合には７の値に到達することができる。
【００５０】
この場合、ＰＡＣは、温かい海水を冷熱源とすることができ、したがって、１日２４時間、熱を供給することができる。しかしながら、ヒートポンプは、圧縮機を稼働させるために、それ自体でエネルギーが消費される。これにより、必然的に、装置の効率は低下することになる。
【００５１】
図５は、作動流体がアンモニアであるＰＡＣであって、図２の回路に組み込まれた補助加熱器２によれば、３２０Ｋで１０ＭＷの熱を供給することができるＰＡＣを示している。参照番号１０は、「冷熱源」側熱交換器１１において温熱源２（ＰＡＣ）によって加熱される、主回路の作動流体の回路に相当する。「温熱源」側熱交換器１２は、暖かい海洋表層水１３から熱エネルギーを取り込んでいる。ＰＡＣは、圧縮機１４と膨張弁１５とを有している。
【００５２】
表５は、図５のヒートポンプ回路の図に含まれる条件に従った、各要素の電力と、ヒートポンプの流量および効率との計算結果を示している。
【００５３】
【表５】
2014529039.tif 000010
【００５４】
図４の回路による補助温熱源を実現するためには、半分の流量で作動する同一のヒートポンプで十分である。
【００５５】
図６は、補助温熱源が作動流体の一部からなる他の変形例を示す図である。第２のタービン７ｂ（ＬＰ）の出口での気体状のＮＨ３の作動流体は、分流器（スプリッター）１７において２つの部分に分離され、約４％の補助流れは導管Ａを循環し、９６％は導管Ｂに流入する。
【００５６】
導管Ａは、圧縮機９につながり、補助流れは、第２のタービン７ｂの上流であって第１のタービン７ａの下流にある熱交換器１ｂにおいて、熱を交換する。そして、補助流れは、弁１６で膨張した後で、ミキサー１８において主要な流れと再結合する。
【００５７】
図６は、一例として、この変形例による補助温熱源の回路における種々の点での圧力および温度を示している。
【図１】
2014529039.tif 000011
【図２】
2014529039.tif 000012
【図３】
2014529039.tif 000013
【図４】
2014529039.tif 000014
【図５】
2014529039.tif 000015
【図６】
2014529039.tif 000016
【国際調査報告】
2014529039.tif 000017
2014529039.tif 000018
2014529039.tif 000019
2014529039.tif 000020